(57)【要約】【課題】画像データによって表される人物画像の肌色の粒状性を向上する。【解決手段】テーブル２００は、階調値が比較的小さい区間Ｃｄ１においては、小ドットのみ形成すべきことを表す。区間Ｃｄ２においては、小ドットの発生量が徐々に減少するとともに、中ドットの発生量が増加する。区間Ｃｄ３においては、小ドットおよび中ドットの発生量が減少するとともに、大ドットの発生量が増加する。従って、小ドット、中ドット、大ドットが混在して形成され、階調値が高くなるに連れて大ドットが多く形成される、本発明によれば１つの画像データに表されるオブジェクトに応じて、各ドット振分テーブルを切り替えて印刷を実行することができ、人物の顔といった粒状感が少ないことを求められる領域において、効率的に、小さいドットを使用して印刷を行うことができる。【選択図】図５
2006281769.tif 000002
【特許請求の範囲】
【請求項１】
２種類以上のインクと、前記各インクについて、ドット径の異なる２種類以上のドットを印刷媒体上に形成可能なヘッドを備える印刷装置であって、
印刷すべき画像を表す画像データを取得する取得手段と、
前記取得された画像データを解析する画像解析手段と、
前記各ドットの発生量が定められたドット振分テーブルを、前記画像データの解析結果に基づき、少なくとも２以上取得するテーブル取得手段と、
前記解析結果に応じて、前記取得したドット振分テーブルを切り替えてドットを形成し、前記画像を印刷する印刷手段と、を備える印刷装置。
【請求項２】
請求項１記載の印刷装置であって、
前記画像解析手段は、前記画像データにより表される画像に含まれる対象物を特定し、
前記テーブル取得手段は、前記特定された対象物に応じて、前記ドット振分テーブルを取得し、
前記印刷手段は、前記対象物に応じて、前記取得されたドット振分テーブルを切り替えて印刷を行う印刷装置。
【請求項３】
請求項２記載の印刷装置であって、
前記画像解析手段は、前記画像データにより表される画像に、人物の顔が含まれるか否かを判断し、
前記テーブル取得手段は、前記画像データの、前記人物の顔を表す領域について、ドット径の小さいドットの発生量が多いドット振分テーブルを取得する印刷装置。
【請求項４】
請求項２記載の印刷装置であって、
前記画像解析手段は、前記画像データによって表される画像が夜景の画像であるか否かを判断し、
前記テーブル取得手段は、前記画像が夜景の画像である場合に、前記画像データの、前記夜景を表す領域について、ドット径の大きいドットの発生量が多いドット振分テーブルを取得する印刷装置。
【請求項５】
請求項１記載の印刷装置であって、
前記画像解析手段は、前記画像データの色彩値に基づき、前記画像データを複数の領域に分割し、
前記テーブル取得手段は、前記分割された領域に応じて、前記ドット振分テーブルを取得し、
前記印刷手段は、前記分割された領域に応じて、前記取得されたドット振分テーブルを切り替えて印刷を行う印刷装置。
【請求項６】
請求項５記載の印刷装置であって、
前記テーブル取得手段は、前記画像データの、肌色色域に含まれる色彩値を有する領域について、ドット径の小さいドットの発生量が多いドット振分テーブルを取得する印刷装置。
【請求項７】
請求項１記載の印刷装置であって、
前記画像解析手段は、前記画像データ生成時に、前記画像データに設定される付帯情報を取得し、
前記テーブル取得手段は、前記付帯情報に基づき、前記ドット振分テーブルを取得する印刷装置。
【請求項８】
請求項１ないし請求項７いずれか記載の印刷装置であって、
更に、
少なくとも２つ以上のドット振分テーブルを記憶するテーブル記憶手段を備え、
前記テーブル取得手段は、前記記憶されているドット振分テーブルから、前記画像データにより表される画像の印刷に使用すべき前記ドット振分テーブルを取得する印刷装置。
【請求項９】
請求項１ないし請求項７いずれか記載の印刷装置であって、
前記テーブル取得手段は、前記画像データにより表される画像の印刷に使用すべき前記ドット振分テーブルを、前記画像データの解析結果に応じて算出する印刷装置。
【請求項１０】
請求項１記載の印刷装置であって、
前記画像解析手段は、前記画像データにより表される画像に含まれる対象物を特定し、
前記印刷装置は、更に、
前記対象物と、ドット振分テーブルに個別に付与されているテーブル識別情報とを対応付ける第１の対応付け処理部を備え、
前記印刷手段は、前記対応付けられたテーブル識別情報に基づき、前記ドット振分テーブルを切り替えて印刷を行う印刷装置。
【請求項１１】
請求項１ないし請求項９いずれか記載の印刷装置であって、
更に、ドット振分テーブルを識別するためのテーブル識別情報と、前記画像データを構成する各画素とを対応付ける対応付け処理部を備え、
前記印刷手段は、前記対応付けられたテーブル識別情報に基づき、前記ドット振分テーブルを切り替えて印刷を行う印刷装置。
【請求項１２】
同色の濃インクおよび淡インクを含む２種類以上のインクを備える印刷装置であって、
印刷すべき画像を表す画像データを取得する取得手段と、
前記取得された画像データを解析する画像解析手段と、
前記濃インクおよび前記淡インクの使用量を定める濃淡インク振分テーブルを、前記画像データの解析結果に基づき、少なくとも２以上取得するテーブル取得手段と、
前記解析結果に応じて、前記取得した濃淡インク振分テーブルを切り替えて前記画像を印刷する印刷手段と、を備える印刷装置。
【請求項１３】
請求項１２記載の印刷装置であって、
前記画像解析手段は、前記画像データにより表される画像に含まれる対象物を特定し、
前記テーブル取得手段は、前記特定された対象物に応じて、前記濃淡インク振分テーブルを取得し、
前記印刷手段は、前記対象物に応じて、前記取得された濃淡インク振分テーブルを切り替えて印刷を行う、印刷装置。
【請求項１４】
請求項１３記載の印刷装置であって、
前記画像解析手段は、前記画像データにより表される画像に、人物の顔が含まれるか否かを判断し、
前記テーブル取得手段は、前記画像データの、前記人物の顔を表す領域について、前記淡インクの使用量が多い濃淡インク振分テーブルを取得する、印刷装置。
【請求項１５】
２種類以上のインクと、前記各インクについて、ドット径の異なる２種類以上のドットを印刷媒体上に形成可能なヘッドを備える印刷装置が実行する印刷方法であって、
印刷すべき画像を表す画像データを取得し、
前記取得された画像データを解析し、
前記各ドットの発生量が定められたドット振分テーブルを、前記画像データの解析結果に基づき、少なくとも２以上取得し、
前記解析結果に応じて、前記ドット振分テーブルを切り替えてドットを形成し、前記画像を印刷する印刷方法。
【請求項１６】
同色の濃インクおよび淡インクを含む２種類以上のインクを備える印刷装置が実行する印刷方法であって、
印刷すべき画像を表す画像データを取得し、
前記取得された画像データを解析し、
前記濃インクおよび前記淡インクの使用量が定められた濃淡インク振分テーブルを、前記画像データの解析結果に基づき、少なくとも２以上取得し、
前記解析結果に応じて、前記取得した濃淡インク振分テーブルを切り替えて前記画像を印刷する、印刷方法。
【発明の詳細な説明】
【技術分野】
【０００１】
本発明は、ドット径の異なる２種類以上のドットを印刷媒体上に吐出して印刷を行う印刷装置に関するものである。
【背景技術】
【０００２】
近年、ドット径の異なる、すなわち、インク量の異なるインク滴を吐出して、画像データの印刷を行うインクジェット式のプリンタ（インクジェットプリンタと呼ぶ）が普及している。インクジェットプリンタは、ドットの発生量が設定されたドット振分テーブルを複数有している。ドット振分テーブルには、階調値に応じて、異なるドット径のドットの発生量が設定されている。インクジェットプリンタは、印字モード、例えば解像度に応じて、使用するドット振分テーブルを選択し、これを使用して印刷する。
【０００３】
【特許文献１】特開平１１−３４８３２２号公報
【発明の開示】
【発明が解決しようとする課題】
【０００４】
しかしながら、従来のインクジェットプリンタは、印刷した画像に白いすじ、いわゆるバンディングが発生することを低減するために、画像データによって表される画像の内容に関係なくドット径の大きいドットを多く使用するドット振分テーブルを頻用する設定となっている。従って、粒状感が少ないこと、すなわち、粒状性が低いことを求められる肌色、例えば、人物の顔に対してもドット径の大きいドットを使用して印刷を行うため肌色の粒状性の悪化を招くという問題点があった。
【０００５】
また、従来のインクジェットプリンタは印字モードに対してトッド振分テーブルを１つしか選択することができなかった。そのため、画像の内容、例えば、人物や風景などのオブジェクトに応じて最適なドット振分テーブルを切り替えて印刷を行うことはできなかった。
【０００６】
本発明はこのような課題に鑑みてなされたものであり、画像データによって表される被写体に応じたドット径での印刷を実行し、印刷される画像の品質を向上することを目的とする。
【課題を解決するための手段】
【０００７】
上述した課題の少なくとも一部を解決するために、本発明は第１の構成として、２種類以上のインクと、前記各インクについて、ドット径の異なる２種類以上のドットを印刷媒体上に形成可能なヘッドを備える印刷装置を提供する。
本発明の印刷装置は、
２種類以上のインクと、前記各インクについて、ドット径の異なる２種類以上のドットを印刷媒体上に形成可能なヘッドを備える印刷装置において、
印刷すべき画像を表す画像データを取得する取得手段と、
前記取得された画像データを解析する画像解析手段と、
前記各ドットの発生量が定められたドット振分テーブルを、前記画像データの解析結果に基づき、少なくとも２以上取得するテーブル取得手段と、
前記ドット振分テーブルを切り替えてドットを形成し、前記画像を印刷する印刷手段と、を備えることを要旨とする。
【０００８】
本発明の印刷装置によれば、画像の解析結果に応じて、複数のドット振分テーブルを切り替えて印刷することができる。従って、画像データにおいてドット径の小さいドットを多く使用することが求められる領域とドット径の大きいドットを多く使用することが求められる領域とが混在している場合にも、それぞれに適したドット振分テーブルを使用して印刷を行うことができ、バンディングの発生および粒状感の抑制を図ることができる。よって、媒体に印刷される画像の品質を向上できる。
【０００９】
本発明の印刷装置において、
前記画像解析手段は、前記画像データにより表される画像に含まれる対象物を特定し、
前記印刷手段は、前記特定された対象物に応じて、前記ドット振分テーブルを切り替えてもよい。
【００１０】
本発明の印刷装置によれば、画像データによって表される対象物ごとに最適なドット振分テーブルを取得し、取得したドット振分テーブルを切り替えて印刷を行うことができる。
【００１１】
本発明の印刷装置において、
前記画像解析手段は、前記画像データにより表される画像に、人物の顔が含まれるか否かを判断し、
前記印刷手段は、前記画像データの、前記人物の顔を表す領域について、ドット径の小さいドットの発生量が多いドット振分テーブルを使用してもよい。
【００１２】
一般的には、人物の顔を表す領域の印刷に対しては粒状感が少ないことが求められる。本発明の印刷装置によれば、画像データの人物の顔を表す領域に対して小さいドットの発生量が多いドット振分テーブルを使用して粒状感を抑制できる。
【００１３】
本発明の印刷装置において、
前記画像解析手段は、前記画像データによって表される画像が夜景の画像であるか否かを判断し、
前記印刷手段は、前記画像が夜景の画像である場合に、前記画像データの、前記夜景を表す領域について、ドット径の大きいドットの発生量が多いドット振分テーブルを使用してもよい。
【００１４】
夜景を表す領域には、隙間が発生しないようドット径の大きいドットを多く使用することが求められる。従って本発明の印刷装置によれば、夜景の領域の印刷にドット径の大きいドットの発生量が多いドット振分テーブルを使用することにより、バンディングの発生を抑制することができる。
【００１５】
本発明の印刷装置において、
前記画像解析手段は、前記画像データの色域を解析し、
前記印刷手段は、前記色域に応じて、前記ドット振分テーブルを切り替えてもよい。
【００１６】
本発明によれば、各色域に適したドット振分テーブルを使用して印刷を行うことができる。色域解析は負荷が軽い処理であるため、全体的な処理負荷を軽減し処理速度を向上することができる。
【００１７】
本発明の印刷装置において、
前記印刷手段は、前記画像データの、肌色色域に含まれる色信号を有する領域について、ドット径の小さいドットの発生量が多いドット振分テーブルを使用してもよい。
【００１８】
一般的に肌色色域に含まれる色信号を有する領域は、人物の顔を表すことが多い。従って本発明の印刷装置によれば、肌色領域についてドット径の小さいドットを多く使用することにより粒状感を抑制できる。よって、媒体に印刷される画像の肌色部分を滑らかに表現でき、品質の向上を図ることができる。
【００１９】
本発明の印刷装置において、
前記画像解析手段は、前記画像データ生成時に、前記画像データに設定される付帯情報を取得し、
前記テーブル取得手段は、前記付帯情報に基づき、前記ドット振分テーブルを取得してもよい。
【００２０】
本発明の印刷装置によれば、簡易に取得可能な付帯情報に基づきドット振分テーブルを取得するため処理速度を向上することができる。
【００２１】
本発明の印刷装置において、
更に、
少なくとも２つ以上のドット振分テーブルを記憶するテーブル記憶手段を備え、
前記テーブル取得手段は、前記記憶されているドット振分テーブルから、前記画像データにより表される画像の印刷に使用すべき前記ドット振分テーブルを取得し、
前記印刷手段は、前記取得されたドット振分テーブルを切り替えて印刷を実行してもよい。
【００２２】
本発明の印刷装置によれば、ドット振分テーブルが予め印刷装置に記憶されているため、簡易にドット振分テーブルを取得することができる。
【００２３】
本発明の印刷装置において、
前記テーブル取得手段は、前記画像データにより表される画像の印刷に使用すべき前記ドット振分テーブルを、前記画像データの解析結果に応じて算出し、
前記印刷手段は、前記算出されたドット振分テーブルを切り替えて印刷を実行してもよい。
【００２４】
本発明の印刷装置によれば、画像データの解析結果に応じて適宜ドット振分テーブルを算出することとしているため、その都度、最適なドット振分テーブルを取得することができる。
【００２５】
本発明の印刷装置において、
前記画像解析手段は、前記画像データにより表される画像に含まれる対象物を特定し、
前記印刷装置は、更に、
前記対象物と、ドット振分テーブルに個別に付与されているテーブル識別情報とを対応付ける第１の対応付け処理部を備え、
前記印刷手段は、前記対応付けられたテーブル識別情報に基づき、前記ドット振分テーブルを切り替えて印刷を行ってもよい。
【００２６】
本発明の印刷装置によれば、画像データによって表されている対象物ごとにドット振分テーブルを対応付けることができる。従って、各対象物に適したドット振分テーブルを用いて印刷することができ、粒状感を抑制しつつバンディングの発生を抑制することができる。
【００２７】
本発明の印刷装置において、
更に、使用すべきドット振分テーブルを表すテーブル情報と、前記画像データを構成する各画素とを対応付ける対応付け処理部を備え、
前記印刷手段は、前記対応付けられたテーブル情報に基づき、前記ドット振分テーブルを切り替えて印刷を行ってもよい。
【００２８】
本発明の印刷装置によれば、画素単位でドット振分テーブルを切り替えて印刷を行うことができるため柔軟にドットの振り分けを行うことができる。従って、粒状感を抑制しつつ効果的にバンディングを抑制することができる。
【００２９】
本発明は、第２の構成として、同色の濃インクおよび淡インクを含む２種類以上のインクを備える印刷装置を提供する。
本発明の印刷装置は、
印刷すべき画像を表す画像データを取得する取得手段と、
前記取得された画像データを解析する画像解析手段と、
前記濃インクおよび前記淡インクの使用量を定める濃淡インク振分テーブルを、前記画像データの解析結果に基づき、少なくとも２以上取得するテーブル取得手段と、
前記解析結果に応じて、前記取得した濃淡インク振分テーブルを切り替えて前記画像を印刷する印刷手段と、を備えることを要旨とする。
【００３０】
本発明の印刷装置によれば、画像の解析結果に応じて、複数の濃淡インク振分テーブルを切り替えて印刷することができる。従って、画像データに、濃インクを多く使用することが求められる領域と淡インクを多く使用することが求められる領域とが混在している場合にも、それぞれに適した濃淡インク振分テーブルを使用して印刷を行うことができる。
【００３１】
本発明の印刷装置において、
前記画像解析手段は、前記画像データにより表される画像に含まれる対象物を特定し、
前記テーブル取得手段は、前記特定された対象物に応じて、前記濃淡インク振分テーブルを取得し、
前記印刷手段は、前記対象物に応じて、前記取得された濃淡インク振分テーブルを切り替えて印刷を行ってもよい。
【００３２】
本発明の印刷装置によれば、画像データによって表される対象物ごとに最適な濃淡インク振分テーブルを切り替えて印刷を行うことができる。
【００３３】
本発明の印刷装置において、
前記画像解析手段は、前記画像データにより表される画像に、人物の顔が含まれるか否かを判断し、
前記テーブル取得手段は、前記画像データの、前記人物の顔を表す領域について、前記淡インクの使用量が多い濃淡インク振分テーブルを取得してもよい。
【００３４】
本発明の印刷装置によれば、画像データの人物の顔を表す領域に対して淡インクの使用量が多い濃淡インク振分テーブルを使用して印刷でき、粒状感を抑制できる。従って、人物の顔を滑らかに表現でき、品質の向上を図ることができる。
【００３５】
本発明において、上述した種々の態様は、適宜、組み合わせたり一部を省略したりして適用することができる。また、本発明は上述した印刷装置としての構成の他に、印刷装置による印刷方法、印刷装置に画像データを印刷させるためのコンピュータプログラム、かかるコンピュータプログラムをコンピュータ読み取り可能に記録した記録媒体等としても構成できる。いずれの構成においても上述した各態様を適宜適用可能である。コンピュータが読み取り可能な記録媒体としては、例えば、フレキシブルディスクや、ＣＤ−ＲＯＭ、ＤＶＤ−ＲＯＭ、光磁気ディスク、ＩＣカード、ハードディスク等種々の媒体を利用することが可能である。
【発明を実施するための最良の形態】
【００３６】
以下、本発明の実施の形態について、実施例に基づき説明する。
Ａ．第１実施例：
Ａ１．システム概略構成：
図１（ａ）に、本発明の印刷システムの構成を示し、図１（ｂ）にプリンタ２２の機能ブロックを示し、図２に、本発明のプリンタ２２の印刷機構の概略構成を示す。まず、図１を用いて、システム構成を説明する。プリンタ２２は、デジタルカメラ１０からメモリカード３０を介して画像データを取得する。プリンタ２２は、インク量の異なる大・中・小のドット、すなわち、ドット径の異なる３種類のドットを打ち分けて印刷を行い、多階調を表現する。
【００３７】
画像取得部９５は、インターフェース９１を介してメモリカード３０から画像データを取得し、プリンタドライバ９６に受け渡す。プリンタドライバ９６は、画像取得部９５から受け取った画像データを、印刷実行部１１０が印刷可能な信号に変換する。
【００３８】
プリンタドライバ９６は、ラスタライザ９７と、テーブル対応付けモジュール９８と、ドット振分テーブル格納部５０と、色変換モジュール９９と、ハーフトーンモジュール１００とを有している。ラスタライザ９７は、画像取得部９５から受け渡された画像データをドット単位（以下、画素という）の画像データに変換する。
【００３９】
ドット振分テーブル格納部５０は、複数のドット振分テーブルを格納する。ドット振分テーブルとは、ドット径の異なる大・中・小ドットの発生量が設定されたテーブルである。テーブル対応付けモジュール９８は、画像データを解析して、画像データによって表されるオブジェクトを認識し、そのオブジェクトに適したドット振分テーブルを、ドット振分テーブル格納部５０から取得して、オブジェクトを構成する画素と対応付ける。
【００４０】
色変換モジュール９９は、ＲＧＢ色空間により表されている画像データを、プリンタ２２に用いられるＣＭＹＫ色空間に変換する。ハーフトーンモジュール１００は、テーブル対応付けモジュール９８によって対応付けられたドット振分テーブルに基づいてドット径を切り替えつつ、各画素のドットの形成の有無によって、ある面積での濃度を表現する、いわゆるハーフトーン処理を行う。
【００４１】
図２は、本実施例のプリンタ２２の印刷実行部の印刷機構を例示する説明図である。図示するように、このプリンタ２２は、紙送りモータ２３によって用紙Ｐを搬送する機構と、キャリッジモータ２４によってキャリッジ３１を、プラテン２６の軸方向に往復動させる機構と、キャリッジ３１に搭載された印字ヘッド２８を駆動して、インクの吐出、および、ドット形成を制御する機構と、これらの紙送りモータ２３、キャリッジモータ２４、印字ヘッド２８および操作パネル３２との信号の授受を制御する制御回路４０とを備える。
【００４２】
プリンタ２２のキャリッジ３１には、黒インク（Ｂｋ）用のカートリッジ７１と、シアン（Ｃ１）、ライトシアン（Ｃ２）、マゼンタ（Ｍ１）、ライトマゼンタ（Ｍ２）、イエロー（Ｙ）の６色のインクを収納したカラーインク用カートリッジ７２が搭載されている。シアンおよびマゼンタの２色については、濃淡２種類のインクを備える。キャリッジ３１の下部の印字ヘッド２８には、計６個のインク吐出用ヘッド６１〜６６が形成されている。キャリッジ３１の底部には、各色用ヘッドにインクタンクからのインクを導く導入管６７（図３参照）が設けられている。キャリッジ３１に黒（Ｂｋ）インク用のカートリッジ７１およびカラーインク用カートリッジ７２を情報から装着すると、各カートリッジに設けられた接続孔に導入管６７が挿入され、各インクカートリッジからインク吐出用ヘッド６１ないし６６へのインクの供給が可能となる。
【００４３】
インクが吐出される機構を、図３を用いて簡単に説明する。図３は、本実施例における印字ヘッド２８の内部の概略構成を示す説明図である。カートリッジ７１、カラーインク用カートリッジ７２がキャリッジ３１に装着されると、インク用カートリッジ内のインクが導入管６７を介して吸い出され、キャリッジ３１下部に設けられた印字ヘッド２８の各色のインク吐出用ヘッド６１ないし６６に導かれる。各色のインク吐出用ヘッド６１ないし６６には、各色について３２個のノズルＮｚが設けられており、ノズルごとにピエゾ素子ＰＥが配置されている。図４を用いて、ノズルＮｚの配列を説明する。
【００４４】
図４は、本実施例におけるインク吐出用ヘッド６１ないし６６におけるインクジェットノズルＮｚの配列を示す説明図である。プリンタ２２の印字ヘッド２８は、電圧を変化させることにより、全て同じ径からなるノズルＮｚを用いてドット径の異なるドットを形成する。各色について形成された３２個のノズルＮｚが一定のノズルピッチで千鳥状に配列されている。
【００４５】
以上説明した構成を有するプリンタ２２は、紙送りモータ２３によりプラテン２６、その他のローラを回転して用紙Ｐをしつつ、キャリッジ３１をキャリッジモータ２４により往復動させ、同時に印字ヘッド２８の各色のインク吐出用ヘッド６１ないし６６のピエゾ素子ＰＥを駆動して、各色インクの吐出を行い、ドットを形成して用紙Ｐ上に多色の画像を形成する。
【００４６】
Ａ２．ドット振分テーブル：
図５は、本実施例におけるドット振分テーブルの内容を説明する説明図である。ドット振分テーブル格納部５０には、２０個のドット振分テーブルが格納されており、ドット振分テーブル２００（図５（ａ）），ドット振分テーブル２１０（図５（ｂ））は、ドット振分テーブル格納部５０に格納されているドット振分テーブルの一例である。ドット振分テーブル２００および２１０は、シアン（Ｃ１）のインクについて、階調値に応じて変化する各ドットの発生量を表している。小ドットを破線で表し、中ドットを一点鎖線、大ドットを実線で表す。また、各ドッド振分テーブルには、ドット振分テーブルを固有に識別するドット振分テーブル番号が付与されている。ドット振分テーブル２００のドット振分テーブル番号は、「１」であり、ドット振分テーブル２１０のドット振分テーブル番号は、「２」である。
【００４７】
ドット振分テーブル２００は、階調値が比較的小さい区間Ｃｄ１においては、小ドットのみ形成すべきことを表す。すなわち、区間Ｃｄ１における、中ドットおよび大ドットの発生量は０であり、中ドット、大ドットは形成されない。小ドットについても、発生量は少ないことを表している。区間Ｃｄ２においては、小ドットの発生量が徐々に減少するとともに、中ドットの発生量が増加する。すなわち、小ドットと中ドットが混在して形成され、階調値が高くなるにつれ、小ドットより中ドットが多く形成される。区間Ｃｄ２においては、大ドットの発生量は依然として０であり、大ドットは形成されない。区間Ｃｄ３においては、小ドットおよび中ドットの発生量が減少するとともに、大ドットの発生量が増加する。すなわち、小ドット、中ドット、大ドットが混在して形成され、階調値が高くなるに連れて大ドットが多く形成される。ドット振分テーブル２００は、対応付けられたオブジェクトの印刷処理時に、大ドットを多く発生させて印刷すべきことを表している。
【００４８】
ドット振分テーブル２１０は、階調値が比較的小さい区間Ｃｄ１０においては、小ドットのみ形成すべきことを表す。すなわち、区間Ｃｄ１０における、中ドットおよび大ドットの発生量は０であり、中ドット・大ドットは形成されない。小ドットの発生量は多い、すなわち、小ドットが多く吐出されることを表している。区間Ｃｄ２０においては、小ドットの発生量が徐々に減少するとともに、中ドットの発生量が増加する。すなわち、小ドットと中ドットが混在して形成され、階調値が高くなるにつれ、小ドットより中ドットが多く形成される。区間Ｃｄ２０においては、大ドットの発生量は依然として０であり、大ドットは形成されない。また、小ドットは、区間Ｃｄ２０の最後には、発生量が０となり、区間Ｃｄ２０の階調値より大きい階調値では、小ドットは発生しない。区間Ｃｄ３０においては、中ドットの発生量が徐々に減少するとともに、大ドットの発生量が増加する。すなわち、中ドットと大ドットが混在して形成され、階調値が高くなるにつれ、中ドットより大ドットが多く形成される。また、中ドットは、区間Ｃｄ３０の最後には、発生量が０となり、区間Ｃｄ３０の階調値より大きい階調値では、中ドットは発生しない。区間Ｃｄ４０では、大ドットのみ発生する。
【００４９】
図５（ａ）および図５（ｂ）に示すように、同一の階調値Ａにおいても、小ドットの発生量はＢ１とＢ２とで異なる。すなわち、ドット振分テーブル２１０は、対応付けられたオブジェクトの印刷処理時に、小ドットを多く発生させることを表している。
【００５０】
Ａ３．印刷処理：
図６から図１１を用いて、本実施例における印刷処理を説明する。図６は、本実施例における印刷処理を説明するフローチャートである。プリンタ２２は、画像データを取得する（ステップＳ１０）と、取得した画像データを解析する（ステップＳ１１）。図７を用いて、本実施例において扱われる画像データを模式的に説明し、図８，図９を用いて、本実施例における画像解析処理を説明する。
【００５１】
図７は、本実施例における画像データを模式的に表す模式図である。画像データＧＤは、１０ピクセル×１０ピクセル、すなわち、１００画素の画像データである。画素の位置を表すために、幅方向をＸ、高さ方向をＹとして、矢印の向きに、１から昇順に番号を割り振る。すなわち、左上の画素Ｄ１１はＤ１１（Ｘ１，Ｙ１）と表される。同様に、画素Ｄ２１はＤ２１（Ｘ２，Ｙ１）、画素Ｄ１２はＤ１２（Ｘ１，Ｙ２）と表される。画像データＧＤ上の升目は画素を分かりやすく表すために付したものであり、実際の画像データには升目は存在しない。
【００５２】
図８は、本実施における画像データ解析処理を説明するフローチャートである。図６におけるステップＳ１１における処理を詳細に説明する。プリンタ２２は、人物の顔を抽出する処理を行う（ステップＳ２０）。人物の顔を抽出する処理は、一般的に使用されている手法、例えば、画像データ内に一定の肌色領域が存在し、その肌色領域内に、目、口と判断できる形状、色の領域が存在する場合には人物の顔であると判断する手法などが挙げられる。
【００５３】
プリンタ２２は、画像データＧＤから人物の顔が抽出されたか否かを判断する（ステップＳ２１）。人物の顔が抽出されなかった場合には（ステップＳ２１：ＮＯ）、プリンタ２２は、大ドットの発生量が多いドット振分テーブルを使用して印刷を行う（ステップＳ２４）。プリンタ２２は、人物の顔が抽出された場合には（ステップＳ２１：ＹＥＳ）、顔の領域を構成する画素を切り出し（ステップＳ２２）、切り出した画素に顔認識フラグを立てる（ステップＳ２３）。図９に、ステップＳ２３の処理を模式的に示す。
【００５４】
図９は、本実施例における顔領域の切り出しを模式的に示す説明図である。画像データＧＤの人物の顔を表す領域２５０を、ハッチングで表した。プリンタ２２は、領域２５０に含まれる画素にそれぞれ顔認識フラグとして「１」を設定する。設定された顔認識フラグは、プリンタ２２のテーブル対応付けモジュール９８が有する画素テーブル３００（図１１参照）に格納される。画素テーブル３００の顔認識フラグには、初期値として「０」が格納されている。図１１に示すように、画素テーブル３００は、画素位置と顔認識フラグとドット振分テーブル番号の３項目からなる。各画素位置の顔認識フラグの値と、その画素におけるドットの吐出に使用されるドット振分テーブルの番号が格納されている。
【００５５】
プリンタ２２は、画素テーブル３００を参照して、画像データＧＤとドット振分テーブルとの対応付けを行う（ステップＳ１２）。図１０を用いて対応付け処理を詳細に説明する。
【００５６】
図１０は、本実施例における対応付け処理を説明するフローチャートである。図６におけるステップＳ１２の処理詳細である。本処理において、変数ａ，変数ｂ（ともに正の整数）の２つの変数を使用する。
【００５７】
プリンタ２２は、変数ａ，変数ｂに１を代入し（ステップＳ３０）、画素テーブル３００に格納されている画素Ｄａｂ（Ｘａ，Ｘｂ）、すなわち、画素Ｄ１１（Ｘ１，Ｙ１）の顔認識フラグを参照する（ステップＳ３１）。プリンタ２２は、顔認識フラグが、１であるか否かを判断する（ステップＳ３２）。顔認識フラグが１である場合には（ステップＳ３２：ＹＥＳ）、プリンタ２２は、その画素と小ドットの発生量が多いドット振分テーブルとを対応づける（ステップＳ３３）。すなわち、画素テーブル３００のドット振分テーブル番号に、小ドットの発生量が多いドット振分テーブル２１０のドット振分テーブル番号「２」を格納する。
【００５８】
顔認識フラグが１でない場合には（ステップＳ３２：ＮＯ）、プリンタ２２は、その画素と、大ドットの発生量が多いドット振分テーブルとを対応づける（ステップＳ３４）。すなわち、画素テーブル３００のドット振分テーブル番号に、大ドットの発生量が多いドット振分テーブル２００のドット振分テーブル番号「１」を格納する。
【００５９】
プリンタ２２は、変数ａが１０であるか否か判断し（ステップＳ３５）、変数ａが１０でない場合には（ステップＳ３５：ＮＯ）、変数ａを１増加し（ステップＳ３６）、ステップＳ３１から処理を繰り返す。変数ａが１０である場合には（ステップＳ３５：ＹＥＳ）、変数ｂが１０であるか否かを判断する（ステップＳ３７）。
【００６０】
プリンタ２２は、変数ｂが１０でない場合には（ステップＳ３７：ＮＯ）、変数ａに１を代入し、変数ｂを１増加して（ステップＳ３８）、ステップＳ３１に戻り、処理を繰り返す。変数ｂが１０である場合には（ステップＳ３７：ＹＥＳ）、プリンタ２２は、全ての画素についてドット振分テーブルの対応付けを行ったと判断し処理を終了する。本実施例では、説明上、画像データＧＤを用いて本処理を説明したため、ステップＳ３５およびステップＳ３７に説明する処理において、変数ａ，ｂが１０以上であるか否かという判断を行ったが、これに代えて、ステップＳ３５は「ａ＝幅方向の最大画素数？」とし、ステップＳ３７は「ｂ＝高さ方向の最大画素数？」とすれば種々の画素数の画像データに対応することが出来る。対応付け処理後の画素テーブル３００を、図１１を用いて説明する。
【００６１】
図１１は、本実施例における画素テーブル３００を表す説明図である。画素Ｄ４４（Ｘ４，Ｙ４）におけるインクの吐出には、ドット振分テーブル番号が「２」のドット振分テーブル、すなわち、ドット振分テーブル２１０を使用することを表している。図示するように、画素テーブル３００には、画像データＧＤを構成する全画素についてドット振分テーブルが対応づけられている。
【００６２】
プリンタ２２は、画素テーブル３００を参照してドット振分テーブルを切り替えつつ、ハーフトーン処理を行い、印刷を実行する（ステップＳ１４）。
【００６３】
以上説明した第１実施例のプリンタによれば、画像データ中に表されている、「人物の顔」というオブジェクトを抽出し、オブジェクトの領域と、オブジェクト以外の領域とで、異なるドット振分テーブルを使用して印刷を行うことができる。従って、人物の顔の領域には小ドットの発生量が多いドット振分テーブルを使用して粒状感を抑制し、人物の顔以外の領域については大ドットの発生量が多いドット振分テーブルを使用してバンディングの発生を抑制しつつ印刷することができる。よって、印刷される画像の品質を向上できる。
【００６４】
Ｂ．第２実施例：
上述した実施例では、人物の顔を抽出することとしたが、第２実施例では、画像データによって表される画像データが夜景の画像であるか否かを判断する。画像データが夜景の画像であるか否かを判断する処理を、図１２を用いて説明する。
【００６５】
Ｂ１．画像解析処理：
図１２は、第２実施例における画像データ解析処理を説明するフローチャートである。図６のステップＳ１１の処理の詳細である。プリンタ２２は、画像データの輝度値のヒストグラムを抽出する（ステップＳ４０）。夜景の画像のヒストグラムの一例を、図１３を用いて説明する。
【００６６】
図１３は、本実施例における夜景を表す画像データのヒストグラムの一例である。ヒストグラム４００は、階調値と、ある階調値に存在する画素数とからなる。ヒストグラム４００に表されるように、夜景のヒストグラムは、階調値の低い範囲（Ｓ１）と、階調値の高い範囲（Ｓ２）に画素が集中している。夜景は、夜の闇の中に光が散在しており、階調値の高い範囲と低い範囲に輝度値が集中するからである。プリンタ２２は、例えば、解析対象の画像データのＳ１、Ｓ２の範囲に存在する画素数と、ヒストグラム４００のＳ１、Ｓ２の範囲内に存在する画素数とを比較して、差分が所定範囲内であれば、解析対象の画像データは夜景の画像であると判断することとしてもよい。
【００６７】
プリンタ２２は、解析した画像データが夜景の画像であるか否かを判断し（ステップＳ４１）、夜景の画像でないと判断された場合には（ステップＳ４１：ＮＯ）、中ドットの発生量が多いドット振分テーブルを使用して印刷を行う（ステップＳ４４）。プリンタ２２は、夜景の画像であると判断された場合には（ステップＳ４１：ＹＥＳ）、夜景領域を構成する画素を切り出し（ステップ４２）、切り出した画素に夜景認識フラグを立てる（ステップＳ４３）。
【００６８】
以降の処理は、図１０に示す処理と同様である。ただし、ステップＳ３３の処理を「大ドットの発生量が多いドット振分テーブルと対応づける」とし、ステップＳ３４の処理を「中ドットの発生量が多いドット振分テーブルと対応づける」とする。
【００６９】
本実施例によれば、夜景を表す領域に含まれる画素の印刷時のインクの吐出に、大ドットの発生量が多いドット振分テーブル、例えば、第１実施例の図５に示すドット振分テーブル２００を使用して、夜景領域とその他の領域とで各ドットを切り替えて印刷を実行することができる。夜景の画像は、埋まりを重視されることが多いため、本発明によれば、効率的に、大ドットを、夜景を表す領域に使用することができる。
【００７０】
Ｃ．第３実施例：
上述の第１実施例および第２実施例では、大ドット、中ドットおよび小ドットを振り分けて印刷を実行している。第３実施例では、ドットではなく濃インク、淡インクを振り分けて印刷を実行する。第３実施例では、第１実施例および第２実施例におけるドット振分テーブルに代えて濃淡インク振分テーブルを用いて濃淡インクの振り分けを行う。なお、本実施例のシステム構成は、第１実施例のシステム構成と同様である。ただし、ドット振分テーブル格納部５０には、濃淡インク振分テーブルが格納されている。
【００７１】
Ｃ１．濃淡インク振分テーブル：
濃淡インク振分テーブルについて、図１４（ａ）、１４（ｂ）を用いて説明する。図１４（ａ）は、本変形例における濃淡インク振分テーブル２２０を例示する説明図である。図１４（ｂ）は、本変形例における濃淡インク振分テーブル２３０を例示する説明図である。濃淡インク振分テーブル２２０、２３０の横方向は淡インクを使用せずに濃インクのみで印刷を行った場合に必要とされる濃インクのインク量（以降、本実施例では、オリジナル濃インク量、と呼ぶ）を示している。濃淡インク振分テーブル２２０、２３０の縦方向は、オリジナル濃インク量により再現される階調値を、濃インクおよび淡インクの双方を使用して再現する際に使用されるインク量を表している。オリジナル濃インク量は、各画素の階調値に応じてプリンタドライバ９６により決定される。図１４（ａ）、図１４（ｂ）において、破線は淡インクのインク量を、実線は濃インクのインク量を示す。
【００７２】
濃淡インク振分テーブル２２０は、オリジナル濃インク量が「０〜Ｐ」の区間Ｃｄ１ａにおいては、淡インクのみ使用されることを表している。すなわち、区間Ｃｄ１aにおいて濃インクは使用されない。オリジナル濃インク量が「Ｐ〜最大値ｍａｘ」の区間Ｃｄ２ａにおいては、使用できる淡インクのインク量が減少するとともに、使用できる濃インクのインク量が増加する。すなわち、淡インク、濃インクが混在して使用され、オリジナル濃インク量が増加するに連れて濃インクが多く使用される。
【００７３】
濃淡インク振分テーブル２３０は、オリジナル濃インク量が「０〜Ｑ」の区間Ｃｄ１ｂにおいては、淡インクのみ使用されることを表している。図１４（ｂ）に示すように、Ｑ＞Ｐであり、濃淡インク振分テーブル２３０は、濃淡インク振分テーブル２２０に比べて、オリジナル濃インク量がより多く必要とされる場合に、濃インクが淡インクに混ざり始めることを表している。オリジナル濃インク量が「Ｑ〜最大値ｍａｘ」の区間Ｃｄ２ａにおいては、使用できる淡インクのインク量が減少するとともに、使用できる濃インクのインク量が増加する。濃淡インク振分テーブル２３０は、対応付けられたオブジェクトの印刷処理時に、淡インクを多く使用して印刷すべきことを示している。
【００７４】
なお、淡インクの使用量は、濃淡インクの置換比率に基づいている。例えば、置換比率が「３」の場合に、濃インクのインク量「１」を淡インクに置換すると、淡インクのインク量は「３」となる。すなわち、淡インクは濃インクの３倍のインク量を消費する。
【００７５】
淡インクは、濃インクと比較して薄く目立たないため、印刷媒体に塗布された際、濃インクよりも粒状感が少ない。従って、プリンタ２２は、濃淡インク振分テーブル２３０を肌色部分に対応付けて印刷を行うことにより、肌色部分の粒状感を少なくできる。
【００７６】
Ｃ２．印刷処理：
濃淡インク振分テーブルを用いて行われる印刷処理について説明する。プリンタ２２は、図８（第１実施例）のステップＳ３３を「淡インクが多く使用される濃淡インク振分テーブル２３０と対応付ける」と変更し、ステップＳ３４を「濃インクが多く使用される濃淡インク振分テーブル２２０と対応付ける」と変更する。このように変更することにより、プリンタ２２は、淡インクが多く使用される濃淡インク振分テーブル２３０を用いて、画像データの肌色領域を印刷することができる。
【００７７】
以上説明した第３実施例のプリンタ２２によれば、画像データ中に表されている、「人物の顔」というオブジェクトの領域と、このオブジェクト以外の領域とで、異なる濃淡インク振分テーブルを使用して印刷を行うことができる。従って、人物の顔の領域には淡インクが多く使用されるため粒状感を抑制でき、媒体に印刷される画像の中の人物の顔部分が滑らかに表すことができる。また、プリンタ２２は、人物の顔以外の領域については濃インクを多く使用する濃淡インク振分テーブルを使用して印刷を行うことができる。従って、淡インクを多く使用するときに比べてインク消費量を抑制できる。
【００７８】
Ｄ．変形例：
（１）また、画像データ中に肌色色域に含まれる色度を有する画素が、所定値以上、存在するか否かを判断し、該当する画素に、第１実施例における「顔認識フラグ」に当たる「肌色フラグ」を設定することとしてもよい。この判断処理は、例えば、解析対象の画像データの色空間をＲＧＢ色空間からＬａ＊ｂ＊色空間に変換し、色度の分布に基づき行うこととすれば簡易に行うことができる。
【００７９】
図１５は、本変形例における肌色色域判別テーブルを例示する説明図である。肌色色域判別テーブル５００は、色度の分布を表しており、ａ＊軸、ｂ＊軸とから表される。図に斜線でエッチングを付した領域が、本変形例における「肌色色域」である。図に示した複数の点Ｐの分布の状態は、画像データを構成する画素の色度の分布を表している。プリンタは、肌色色域５１０に含まれる色度を有する画素を切り出して、肌色フラグを設定することとすれば簡易に肌色領域を切り出すことができる。
【００８０】
肌色色域に含まれる色度を有する画素は、人物の顔を表すことが多いため、肌色フラグが設定された画素に、小ドットの発生量が多いドット振分テーブルを対応づけることとすれば、肌色を表す領域の粒状感を抑制できる。また、人物の顔を認識する処理に比べ、処理負荷が軽く、処理速度を向上することができる。
【００８１】
（２）また、上述した変形例（１）において説明した、画像データ中に肌色色域に含まれる色度を有する画素が、所定値以上、存在するか否かを判断する処理に先立ち、画像データのＥｘｉｆ情報を参照し、撮影モードが人物撮影モードであるか否かを判断することとしてもよい。Ｅｘｉｆ情報とは、画像データの撮影条件や解像度などの設定情報が格納された情報であり、画像データの撮影時に、画像データに付帯される。
【００８２】
人物撮影モードである場合には、画像データによって表される画像に人物が表されている可能性が高い。従って、肌色色域に含まれる色度を有する画像が所定値以上存在するか否かを判断せずに、肌色色域に含まれる色度を有する画素に「肌色フラグ」を設定することとしても良い。図１６（ａ）に、Ｅｘｉｆ情報の一例を示す。
【００８３】
図１６（ａ）は、本変形例におけるＥｘｉｆ情報の一例を表す説明図である。Ｅｘｉｆ情報７００には、画像データを撮影した撮影日時や色空間情報、シャッタースピード、撮影モード７１０等が設定されている。図示するように、画像データが人物撮影モードで撮影された場合には、撮影モード７１０に「人物撮影モード」と設定される。
【００８４】
本変形例によれば、画像データ内に人物が撮影されているか否かを簡易に判断することができるため、効率的に、色度が肌色を有する画素に、小ドットの発生量が多いドット振分テーブルを対応づけることができる。従って、処理速度を向上することができるとともに、肌色領域の粒状感を抑制できる。
【００８５】
（３）また、デジタルカメラは、撮影モードとして人物撮影モードが選択された場合には、図１６（ｂ）に示すように、ファインダー８００に、人物撮影モードであることを通知するモード表示８２０と、人物を配置する位置を案内する案内枠８１０とを表示することとしてもよい。図１６（ａ）のＥｘｉｆ情報７００に示すように、案内枠８１０の画素位置を撮影モード７１０に格納することとすれば、案内枠８１０で囲われる領域に含まれる画素を簡易に認識することができる。本変形例では、Ｅｘｉｆ情報７００に示すように、実行画像幅が２４００Ｐｉｘｅｌ、実行画像高が１８００Ｐｉｘｅｌであり、撮影モード７１０に示すように、案内枠８１０の左上の画素位置はＤ（Ｘ８００，Ｙ４００）であり、右下の画素位置はＤ（Ｘ１６００，Ｙ１５００）である。案内枠８１０で囲われる領域に含まれる画素に、小ドットの発生量が多いドット振分テーブルを対応付けることとすれば、肌色領域の判断や顔認識等を行う必要がないため、処理速度を向上することができる。
【００８６】
（４）上述した第１実施例では、ドット振分テーブルは、予め、プリンタ２２に格納されていることとしたが、これに限られない。例えば、色域に応じて、小ドット、中ドット、大ドットの使用割合を表したテーブルと、各ドットの重量についての情報、例えば、小ドットは１ｎｇ、中ドットは４ｎｇ、大ドットは１０ｎｇ、を格納したテーブルを有して、各ドットの使用割合と各ドットの重量とに基づき、適宜、ドット振分テーブルを算出することとしてもよい。
【００８７】
（５）上述した第１実施例では、ドット振分テーブル格納部５０に、ドット振分テーブルが２０個格納されていることとしたが、２０個より多く格納されていることとしてもよいし、２０個より少なく格納されていることとしてもよい。ドット振分テーブルの格納数を多くすれば、ドット振分テーブルを柔軟に選択することができるため、画質の向上を更に図ることができる。また、ドット振分テーブルの格納数を少なくすれば、処理速度の向上を図ることができる。
【００８８】
（６）上述した第１実施例における印刷システムは、プリンタ２２は、メモリカード３０を介してデジタルカメラ１０から画像データを取得することとしたが、これに限られない。例えば、プリンタドライバがインストールされたパーソナルコンピュータを用いて、印刷システムを構成することとしてもよい。この場合、パーソナルコンピュータとプリンタは、ローカル、もしくは、ネットワーク接続によって接続されることとし、パーソナルコンピュータから印刷指示を実行することにより実現することができる。パーソナルコンピュータは、予めインストールされている画像処理アプリケーションを使用して、種々の画像処理を行った後に印刷を実行することができるため、利便性を向上することができる。
【００８９】
（７）上述した第１実施例および第２実施例では、各画素とドット振分テーブルとを対応付けることとしたが、例えば、画像を解析した結果特定される対象物、例えば、人物の顔や夜景の領域とドット振分テーブルとを対応付けることとしてもよい。この場合、対象物の領域を簡易な図形、例えば、矩形で切り出すことにより、矩形領域の左上、右下２点の画素位置を取得することにより、簡易に領域を特定することができる。従って、切り出された対象物の領域に含まれる全ての画素とドット振分テーブルを対応付ける必要がなく、処理負荷を軽減することが出来る。
【００９０】
以上、本発明の種々の実施例について説明したが、本発明はこれらの実施例に限定されず、その趣旨を逸脱しない範囲で種々の構成をとることができることは言うまでもない。
【図面の簡単な説明】
【００９１】
【図１】第１実施例における印刷システムを例示する説明図。
【図２】第１実施例のプリンタの印刷機構を例示する説明図。
【図３】第１実施例における印字ヘッドの内部の概略構成を示す説明図。
【図４】第１実施例におけるインク吐出用ヘッドにおけるインクジェットノズルの配列を示す説明図。
【図５】第１実施例におけるドット振分テーブルの内容を説明する説明図。
【図６】第１実施例における印刷処理を説明するフローチャート。
【図７】第１実施例における画像データを模式的に表す模式図。
【図８】第１実施における画像データ解析処理を説明するフローチャート。
【図９】第１実施例における顔領域の切り出しを模式的に示す説明図。
【図１０】第１実施例における対応付け処理を説明するフローチャート。
【図１１】第１実施例における画素テーブルを表す説明図。
【図１２】第２実施例における画像データ解析処理を説明するフローチャート。
【図１３】第２実施例における夜景を表す画像データのヒストグラムの一例。
【図１４】第３実施例における濃淡インク振分テーブルの内容を説明する説明図。
【図１５】変形例における肌色色域判別テーブルを例示する説明図。
【図１６】変形例におけるＥｘｉｆ情報の一例を表す説明図。
【符号の説明】
【００９２】
１０…デジタルカメラ
２２…プリンタ
２３…モータ
２４…キャリッジモータ
２６…プラテン
２８…印字ヘッド
３０…メモリカード
３１…キャリッジ
３２…操作パネル
４０…制御回路
５０…テーブル格納部
６１…インク吐出用ヘッド
６７…導入管
７１…カートリッジ
７２…カラーインク用カートリッジ
９１…インターフェース
９５…画像取得部
９６…プリンタドライバ
９７…ラスタライザ
９８…テーブル対応付けモジュール
９９…色変換モジュール
１００…ハーフトーンモジュール
１１０…印刷実行部
２００，２１０…ドット振分テーブル
２２０，２３０…濃淡インク振分テーブル
２５０…領域
３００…画素テーブル
４００…ヒストグラム
５００…肌色色域判別テーブル
５１０…肌色色域
７１０…撮影モード
８００…ファインダー
８２０…モード表示
８１０…案内枠
【図１】
2006281769.tif 000003
【図２】
2006281769.tif 000004
【図３】
2006281769.tif 000005
【図４】
2006281769.tif 000006
【図５】
2006281769.tif 000007
【図６】
2006281769.tif 000008
【図７】
2006281769.tif 000009
【図８】
2006281769.tif 000010
【図９】
2006281769.tif 000011
【図１０】
2006281769.tif 000012
【図１１】
2006281769.tif 000013
【図１２】
2006281769.tif 000014
【図１３】
2006281769.tif 000015
【図１４】
2006281769.tif 000016
【図１５】
2006281769.tif 000017
【図１６】
2006281769.tif 000018